(57)【要約】【課題】複数の物件間で各工程のスケジュールを調整し、各工程の処理能力を十分に利用した効率的な建築計画を容易に行うことが可能なスケジュール管理装置およびスケジュール管理プログラムの提供。【解決手段】各物件の工程ごとのスケジュールを含む物件情報を記憶する物件情報記憶手段１１と、工程ごとの１日の処理能力を記憶する処理能力記憶手段１２と、物件情報記憶手段１１から所定期間の各物件の工程ごとのスケジュールを取得して表示するとともに、全物件について日ごとの処理予定工数を工程ごとに合算し、処理能力記憶手段１２から取得した工程ごとの１日の処理能力と対比させて表示するためのスケジュール表示手段１５とを有する。【選択図】図２
2008077609.tif 000002
【特許請求の範囲】
【請求項１】
各物件の工程ごとのスケジュールを含む物件情報を記憶する物件情報記憶手段と、
工程ごとの１日の処理能力を記憶する処理能力記憶手段と、
前記物件情報記憶手段から所定期間の各物件の工程ごとのスケジュールを取得して表示するとともに、全物件について日ごとの処理予定工数を工程ごとに合算し、前記処理能力記憶手段から取得した工程ごとの１日の処理能力と対比させて表示するためのスケジュール表示手段と
を有するスケジュール管理装置。
【請求項２】
前記スケジュール表示手段は、各物件の当日の工程を前記スケジュールと別枠で表示するためのものである請求項１記載のスケジュール管理装置。
【請求項３】
前記物件情報記憶手段から所定期間の各物件の工程ごとのスケジュールを取得し、全物件について年ごとまたは月ごとの処理予定工数または処理実績工数を工程ごとに合算し、年ごとまたは月ごとに対比させて表示するための累計表示手段を有する請求項１または２に記載のスケジュール管理装置。
【請求項４】
前記物件が、建築物であり、
前記物件情報が、前記建築物の坪数を含むものであり、
前記工程が、設計および加工を含むものであり、
前記処理能力および処理予定工数が、前記建築物の坪数に関連付けられたものである
請求項１から３のいずれかに記載のスケジュール管理装置。
【請求項５】
各物件の工程ごとのスケジュールを含む物件情報を記憶する物件情報記憶手段と、
工程ごとの１日の処理能力を記憶する処理能力記憶手段と、
前記物件情報記憶手段から所定期間の各物件の工程ごとのスケジュールを取得して表示するとともに、全物件について日ごとの処理予定工数を工程ごとに合算し、前記処理能力記憶手段から取得した工程ごとの１日の処理能力と対比させて表示するためのスケジュール表示手段と
してコンピュータを機能させるためのスケジュール管理プログラム。
【請求項６】
前記スケジュール表示手段は、各物件の当日の工程を前記スケジュールと別枠で表示するためのものである請求項５記載のスケジュール管理プログラム。
【請求項７】
前記物件情報記憶手段から所定期間の各物件の工程ごとのスケジュールを取得し、全物件について年ごとまたは月ごとの処理予定工数または処理実績工数を工程ごとに合算し、年ごとまたは月ごとに対比させて表示するための累計表示手段として前記コンピュータを機能させるための請求項５または６に記載のスケジュール管理プログラム。
【発明の詳細な説明】
【技術分野】
【０００１】
本発明は、建築物や、機械製品、電気製品等の物品を含む物件を製作する工程を管理するスケジュール管理装置およびスケジュール管理プログラムに関する。
【背景技術】
【０００２】
従来、住宅やビルディング等の各種建築物は、設計工程、基礎工程、組立工程、外装工程、屋根工程、配線工程、配管工程、内装工程等の多様な工程を経て建築される。そして、これらの各工程はそれぞれの専門業者によって作業が行われるため、各工程の作業の順序や期間等のスケジュールを調整することは極めて重要である。
【０００３】
このような建築物の建築のスケジュールを管理するものとしては、例えば特許文献１〜３に記載のスケジュール管理装置がある。これらのスケジュール管理装置では、各工程のスケジュールをネットワーク上のサーバにより管理して、各工程の作業者により共有するものである。
【０００４】
【特許文献１】特開２００２−２１５８５４号公報
【特許文献２】特開２００１−２９７１３１号公報
【特許文献３】特開平１１−１８２０４２号公報
【発明の開示】
【発明が解決しようとする課題】
【０００５】
上記従来のスケジュール管理装置では、物件ごとに各工程のスケジュールを各工程の作業者により共有して管理することができるものの、複数の物件間で各工程のスケジュールを調整し、それぞれの工程の処理能力を十分に利用した効率的な建築計画を行うことができない。
【０００６】
本発明は、複数の物件間で各工程のスケジュールを調整し、各工程の処理能力を十分に利用した効率的な建築計画を容易に行うことが可能なスケジュール管理装置およびスケジュール管理プログラムを提供することを目的とする。
【課題を解決するための手段】
【０００７】
本発明のスケジュール管理装置は、各物件の工程ごとのスケジュールを含む物件情報を記憶する物件情報記憶手段と、工程ごとの１日の処理能力を記憶する処理能力記憶手段と、物件情報記憶手段から所定期間の各物件の工程ごとのスケジュールを取得して表示するとともに、全物件について日ごとの処理予定工数を工程ごとに合算し、処理能力記憶手段から取得した工程ごとの１日の処理能力と対比させて表示するためのスケジュール表示手段とを有するものである。
【０００８】
本発明によれば、所定期間の各物件の工程ごとのスケジュールが表示されるとともに、全物件について日ごとの処理予定工数が工程ごとに合算され、工程ごとの１日の処理能力と対比させて表示されるので、各工程の１日の処理能力の上限を確認しながら複数の物件のスケジュールを調整することが可能となる。
【０００９】
また、本発明のスケジュール管理装置は、スケジュール表示手段が、各物件の当日の工程をスケジュールと別枠で表示するためのものであることが望ましい。各物件の当日の工程がスケジュールと別枠で表示されることにより、複数の物件それぞれの当日の進行状況を一目で確認することが可能となる。
【００１０】
また、本発明のスケジュール管理装置は、物件情報記憶手段から所定期間の各物件の工程ごとのスケジュールを取得し、全物件について年ごとまたは月ごとの処理予定工数または処理実績工数を工程ごとに合算し、年ごとまたは月ごとに対比させて表示するための累計表示手段を有するものであることが望ましい。
【００１１】
本発明によれば、全物件について年ごとまたは月ごとの処理予定工数または処理実績工数が工程ごとに合算され、年ごとまたは月ごとに対比させて表示されるので、各工程の年ごとまたは月ごとの処理予定工数または処理実績工数の遷移を一目で確認することが可能となる。
【００１２】
また、本発明のスケジュール管理装置は、物件が、建築物であり、物件情報が、建築物の坪数を含むものであり、工程が、設計および加工を含むものであり、処理能力および処理予定工数が、建築物の坪数に関連付けられたものであるものとすれば、建築物の坪数に基づいて設計工程および加工工程を含めて１日の処理能力の上限を確認しながら複数の建築物を建築するスケジュールを調整することが可能となる。
【００１３】
本発明のスケジュール管理プログラムは、各物件の工程ごとのスケジュールを含む物件情報を記憶する物件情報記憶手段と、工程ごとの１日の処理能力を記憶する処理能力記憶手段と、物件情報記憶手段から所定期間の各物件の工程ごとのスケジュールを取得して表示するとともに、全物件について日ごとの処理予定工数を工程ごとに合算し、処理能力記憶手段から取得した工程ごとの１日の処理能力と対比させて表示するためのスケジュール表示手段としてコンピュータを機能させるためのものである。このプログラムを実行したコンピュータによれば、上記本発明のスケジュール管理装置と同様の作用、効果を奏することができる。
【００１４】
また、本発明のスケジュール管理プルグラムは、前述と同様に、スケジュール表示手段が、各物件の当日の工程をスケジュールと別枠で表示するためのものであることが望ましい。さらに、本発明のスケジュール管理プログラムは、物件情報記憶手段から所定期間の各物件の工程ごとのスケジュールを取得し、全物件について年ごとまたは月ごとの処理予定工数または処理実績工数を工程ごとに合算し、年ごとまたは月ごとに対比させて表示するための累計表示手段としてコンピュータを機能させるためのものであることが望ましい。
【発明の効果】
【００１５】
（１）所定期間の各物件の工程ごとのスケジュールが表示されるとともに、全物件について日ごとの処理予定工数が工程ごとに合算され、工程ごとの１日の処理能力と対比させて表示されるので、各工程の１日の処理能力の上限を確認しながら複数の物件のスケジュールを調整することが可能となる。これにより、複数の物件間で各工程のスケジュールを調整し、各工程の処理能力を十分に利用した効率的な建築計画を容易に行うことが可能となる。
【００１６】
（２）各物件の当日の工程がスケジュールと別枠で表示される構成により、複数の物件それぞれの当日の進行状況を一目で確認することが可能となるので、複数の物件それぞれの進捗状況の確認が容易となる。
【００１７】
（３）全物件について年ごとまたは月ごとの処理予定工数または処理実績工数が工程ごとに合算され、年ごとまたは月ごとに対比させて表示される構成により、各工程の年ごとまたは月ごとの処理予定工数または処理実績工数の遷移を一目で確認することが可能となるので、各工程の処理能力の増強や売上予測等の計画を容易に行うことが可能となる。
【発明を実施するための最良の形態】
【００１８】
図１は本発明の実施の形態におけるスケジュール管理システムの全体構成図、図２は図１のスケジュール管理装置のブロック図である。
【００１９】
図１において、本発明の実施の形態におけるスケジュール管理システムは、物件としての建築物を建築するスケジュールを管理するスケジュール管理装置としてのアプリケーションサービスプロバイダ（ＡＳＰ）サーバ（以下、「サーバ」と称す。）１と、ネットワーク３を介してサーバ１に接続可能なクライアント端末としてのパーソナルコンピュータ（以下、「ＰＣ」と称す。）２等とから構成される。サーバ１は、スケジュール管理プログラムを実行するコンピュータである。ＰＣ２はブラウザによりサーバ１へアクセスすることにより、サーバ１上のスケジュール管理プログラムを利用することができる。
【００２０】
図２に示すように、サーバ１は、ユーザ情報を記憶するユーザ情報記憶手段１０と、物件情報を記憶する物件情報記憶手段１１と、工程ごとの１日の処理能力を記憶する処理能力記憶手段１２と、物件情報を入力するための物件情報入力手段１３と、進行状況を変更するための進行状況変更手段１４と、スケジュール等を表示するためのスケジュール表示手段１５と、物件情報を検索するための物件情報検索手段１６と、処理予定工数や処理実績工数等の累計を表示するための累計表示手段１７とを有する。
【００２１】
ユーザ情報記憶手段１０は、本実施形態におけるスケジュール管理システムを利用する各ユーザについてそれぞれ設定されたＩＤ、パスワード、名前および属性を含むユーザ情報を記憶する。ここで、属性とは、営業社員、工場管理者、工場社員、システム管理者や経営者等の区分である。なお、各ユーザは、ＩＤおよびパスワードを用いてサーバ１にログインした際、各ユーザに設定された属性に応じて、閲覧できる情報や、入力または修正できる情報等が決定される。
【００２２】
物件情報記憶手段１１は、各物件の工程ごとのスケジュールを含む物件情報を記憶する。ここで、各物件の工程とは、受注、設計（ＣＡＤ入力）、加工、出荷、上棟等であり、各物件の工程ごとのスケジュールとは、受注日、設計日、加工日、出荷日、上棟日等である。また、他の物件情報としては、物件番号、物件名称、営業担当者名、設計担当者名、坪数、販売店名、工務店名、受注金額、備考情報、出荷詳細情報、受注内容、状況情報（受注予定、受注、失注等）、進行状況情報（新規、設計中、設計完了、加工中、加工完了、出荷完了等）等である。
【００２３】
処理能力記憶手段１２は、工程ごとの１日の処理能力を記憶する。なお、本実施形態においては、処理能力を建築物の坪数により表し、それぞれの工程で通常に処理できる上限の坪数、例えば、設計工程の１日の処理能力を２８０坪、加工工程の１日の処理能力を２８０坪のように設定する。
【００２４】
物件情報入力手段１３は、物件情報記憶手段１１に記憶される物件情報を入力するためのものである。物件情報入力手段１３は、各物件情報を入力するためのインターフェースをＰＣ２へ提供し、このインターフェースにより入力、送信された各物件情報を物件情報記憶手段１１へ記憶する。
【００２５】
進行状況変更手段１４は、物件情報記憶手段１１に記憶されている進行状況情報を変更するためのものである。進行状況変更手段１４は、進行状況情報を変更するためのインターフェースをＰＣ２へ提供し、このインターフェースにより指定されたものへ、物件情報記憶手段１１に記憶されている進行状況情報を変更する。
【００２６】
スケジュール表示手段１５は、物件情報記憶手段１１から所定期間（例えば、当日から２週間先まで）の各物件の工程ごとのスケジュールを取得してＰＣ２へ表示するためのものである。図７はスケジュール表示手段１５により表示されるスケジュール表示画面６０の例を示している。図７に示すように、スケジュール表示画面６０には、各物件の物件番号６１、物件名称６２、坪数６３、営業担当者名６４、設計（ＣＡＤ入力）担当者名６５、進行状況情報６６および当日から２週間先までの工程ごとのスケジュール６７が表示されている。なお、進行状況情報６６は、各物件の当日の工程を表しており、スケジュール６７とは別枠で表示される。
【００２７】
また、スケジュール表示手段１５は、全物件について日ごとの処理予定工数を工程ごとに合算し、処理能力記憶手段１２から取得した工程ごとの１日の処理能力と対比させて表示する。図７に示すように、全物件について日ごとの処理予定工数を工程ごとに合算した数値６８ａ，６８ｂは、スケジュール６７の下に別枠で表示される。図示例では、設計工程と加工工程のそれぞれの日ごとの処理予定工数が各日の下の枠に表示されている。また、この例では工程ごとの１日の処理能力と対比させて表示するため、それぞれの処理能力の上限を示す数値６９ａ，６９ｂを表示するとともに、それぞれの上限の数値６９ａ，６９ｂよりも処理予定工数が大きい場合には赤色で、そうでない場合には黒色で、処理予定工数をそれぞれ色分けして表示している。
【００２８】
物件情報検索手段１６は、様々な条件を指定することにより物件情報記憶手段１１に記憶された各物件情報を検索し、表示するためのものである。累計表示手段１７は、物件情報記憶手段１１から所定期間の各物件の工程ごとのスケジュールを取得し、全物件について年ごとまたは月ごとの処理予定工数または処理実績工数を工程ごとに合算し、年ごとまたは月ごとに対比させて表示するためのものである。
【００２９】
次に、上記構成のスケジュール管理システムの具体的処理について説明する。図３は物件情報の登録の流れを示すフロー図である。なお、ユーザ情報記憶手段１０に記憶されるユーザ情報および処理能力記憶手段１２に記憶される処理能力については、予め登録されているものとする。
【００３０】
図３に示すように、まず、営業社員が自分のＩＤおよびパスワードを用いてＰＣ２によりサーバ１へログインし、受注が確定した物件について、坪数、上棟日、販売店、受注金額、受注内容等の物件情報を新規に登録する（ステップＳ１０１）。図４は物件情報入力手段１３によりＰＣ２へ提供される物件情報新規登録画面３０の例を示している。この物件情報新規登録画面３０には、ログインした営業社員の名前３１が表示されており、営業担当者名として自動的に設定される。また、この物件情報新規登録画面３０には、物件名称、上棟日、坪数、販売店名、工務店名、受注金額、備考情報、出荷詳細情報、受注内容、受注日、失注日および状況情報をそれぞれ入力する欄３２が設けられている。営業社員がＰＣ２により各欄３２へ入力し、ＯＫボタン３３をクリックすると、各欄３２に入力された物件情報がＰＣ２からサーバ１へ送信され、物件情報記憶手段１１に記憶される。
【００３１】
次に、工場管理者が自分のＩＤおよびパスワードを用いてＰＣ２によりサーバ１へログインし、登録された新規物件を確認して、ＣＡＤ入力担当者、ＣＡＤ入力日、加工日等のスケジュール（日程）を設定する（ステップＳ１０２）。図５は物件情報入力手段１３によりＰＣ２へ提供される物件情報詳細登録画面４０の例を示している。この物件情報詳細登録画面４０には、物件番号、物件名称、設計（ＣＡＤ入力）担当者名、ＣＡＤ入力日、加工日、出荷日、上棟日、加工坪数、備考情報、出荷詳細情報および進行状況情報をそれぞれ入力する欄４１が設けられている。工場管理者がＰＣ２により各欄４１へ入力し、ＯＫボタン４２をクリックすると、各欄４１に入力された物件情報がＰＣ２からサーバ１へ送信され、物件情報記憶手段１１に記憶される。
【００３２】
また、工場管理者は、随時「ＣＡＤ中」「加工中」「加工完了」「出荷完了」等の物件の進捗状況情報を設定する（ステップＳ１０３）。図６は進行状況変更手段１４によりＰＣ２へ提供される進行状況情報変更画面５０の例を示している。この進行状況情報変更画面５０は、図７に示したスケジュール表示画面６０の進行状況情報６６をクリックすることによりＰＣ２へ提供される。この進行状況情報変更画面５０には、変更可能な進行状況情報の選択肢から１つを選択するためのラジオボタン５１が設けられている。工場管理者がＰＣ２によりラジオボタン５１の１つを選択し、ＯＫボタン５２をクリックすると、選択されたラジオボタン５１の情報がＰＣ２からサーバ１へ送信され、該当する進行状況情報へ変更される。
【００３３】
このようにして物件情報記憶手段１１に記憶された物件情報は、営業社員、工場管理者、工場社員、システム管理者や経営者等が各自のＩＤおよびパスワードを用いてＰＣ２によりサーバ１へログインすることにより、スケジュール表示手段１５によりサーバ１からＰＣ２へ提供されるスケジュール表示画面６０（図７参照。）で閲覧することが可能である。前述のように、スケジュール表示画面６０には、各物件の物件番号６１、物件名称６２、坪数６３、営業担当者名６４、設計（ＣＡＤ入力）担当者名６５、進行状況情報６６および当日から２週間先までの工程ごとのスケジュール６７が表示されるとともに、全物件について日ごとの処理予定工数が工程ごとに合算され、工程ごとの１日の処理能力と対比させて表示されているので、各工程の１日の処理能力の上限を確認しながら複数の物件のスケジュールを調整することが可能である。
【００３４】
なお、前述の物件情報新規登録画面３０は、このスケジュール表示画面６０の営業タブ７０をクリックした際に表示される営業モード表示画面８０（図８参照。）の新規物件ボタン８１をクリックすることによりＰＣ２へ提供されるものである。新規物件ボタン８１をクリックすると、物件情報検索手段１６によって物件情報記憶手段１１が検索され、物件情報記憶手段１１に記憶された物件情報の全てが営業モード表示画面８０に一覧表示される。また、営業モード表示画面８０では、所定の期間を検索条件として物件情報検索手段１６により検索し、該当するもののみ表示することも可能である。
【００３５】
また、物件情報新規登録画面３０および営業モード表示画面８０には、営業タブ７０の他に工場タブ７１および管理タブ７２が設けられており、それぞれのタブ７０，７１，７２をクリックすることにより、スケジュール表示画面６０、営業モード表示画面８０および後述する管理モード表示画面１００（図１１参照。）へと画面遷移させることができる。なお、前述のようにそれぞれのタブ７０，７１，７２により表示される情報や、入力または修正できる情報等は、各ユーザの属性に応じて設定されている。スケジュール表示画面６０は、工場タブ７０をクリックした際に選択される工場モードでの表示であるが、このスケジュール表示画面６０は各ユーザがログインした際に最初に表示される初期画面であり、全ユーザが閲覧することが可能である。
【００３６】
また、スケジュール表示画面６０の新規物件ボタン７３をクリックすると、物件情報検索手段１６によって新規物件が検索され、図９に示す新規物件一覧表示画面９０がＰＣ２へと提供される。この新規物件一覧表示画面９０の中から各新規物件をクリックすることによっても、前述の物件情報新規登録画面３０がＰＣ２へ提供され、物件情報を入力することが可能となる。
【００３７】
また、スケジュール表示画面６０の一覧表示ボタン７４をクリックすると、物件情報検索手段１６によって物件情報記憶手段１１が検索され、図１０に示す物件情報一覧表示画面９１がＰＣ２へ提供される。さらに、この物件情報一覧表示画面９１では、表示区分を全体、完了または未完了から選択して該当するもののみ表示したり、物件名称等を検索条件として指定して表示したりすることが可能である。
【００３８】
また、図１１は管理モード表示画面１００の例を示している。管理モード表示画面１００は、累計表示手段１７によってＰＣ２へ提供される。図示例では、工場の月別加工坪数および加工棟数、ＣＡＤの月別の入力坪数、営業担当別受注棟数、失注物件棟数、販売店別売上げ、年度別加工棟数や、工場稼働率等が累計表示手段１７によって算出され、表示されている。なお、この管理モード表示画面１００は、ログインしているユーザが経営者等の場合にのみ表示される。
【００３９】
以上のように、本実施形態におけるスケジュール管理システムでは、所定期間の各物件の工程ごとのスケジュールが表示されるとともに、全物件について日ごとの処理予定工数が工程ごとに合算され、工程ごとの１日の処理能力と対比させて表示されるので、各工程の１日の処理能力の上限を確認しながら複数の物件のスケジュールを調整することが可能である。これにより、複数の物件間で各工程のスケジュールを調整し、各工程の処理能力を十分に利用した効率的な建築計画を容易に行うことが可能である。
【００４０】
また、各物件の当日の工程がスケジュールと別枠で図７に示す進行状況情報６６として表示されるので、複数の物件それぞれの当日の進行状況を一目で確認することが可能であり、複数の物件それぞれの進捗状況の確認が容易である。
【００４１】
また、累計表示手段１７によって全物件について年ごとまたは月ごとの処理予定工数または処理実績工数が工程ごとに合算され、年ごとまたは月ごとに対比させて表示されるので、各工程の年ごとまたは月ごとの処理予定工数または処理実績工数の遷移を一目で確認することが可能であり、各工程の処理能力の増強や売上予測等の計画を容易に行うことが可能である。
【００４２】
また、本実施形態におけるスケジュール管理システムは、サーバ１上でスケジュール管理プログラムを実行するＡＳＰにより構成しているため、ＰＣ２はネットワーク３を介してサーバ１に接続できるものであれば良く、ＰＣ２上にはブラウザ以外に特別なプログラムをインストールする必要はない。したがって、このスケジュール管理システムは、ブラウザを備えるコンピュータであれば、サーバ１に接続して利用することが可能であり、いつでもどこでもスケジュールの確認や調整等を行うことが可能である。
【産業上の利用可能性】
【００４３】
本発明のスケジュール管理装置およびスケジュール管理プログラムは、建築物や、機械製品、電気製品等の物品を含む物件を製作する工程を管理する装置およびプログラムとして有用である。特に、本発明は、複数の物件間で各工程のスケジュールを調整し、各工程の処理能力を十分に利用した効率的な建築計画を容易に行うことが可能なものとして好適である。
【図面の簡単な説明】
【００４４】
【図１】本発明の実施の形態におけるスケジュール管理システムの全体構成図である。
【図２】図１のスケジュール管理装置のブロック図である。
【図３】物件情報の登録の流れを示すフロー図である。
【図４】物件情報新規登録画面の例を示す図である。
【図５】物件情報詳細登録画面の例を示す図である。
【図６】進行状況情報変更画面の例を示す図である。
【図７】スケジュール表示画面の例を示す図である。
【図８】営業モード表示画面の例を示す図である。
【図９】新規物件一覧表示画面の例を示す図である。
【図１０】物件情報一覧表示画面の例を示す図である。
【図１１】管理モード表示画面の例を示す図である。
【符号の説明】
【００４５】
１  サーバ
２  ＰＣ
３  ネットワーク
１０  ユーザ情報記憶手段
１１  物件情報記憶手段
１２  処理能力記憶手段
１３  物件情報入力手段
１４  進行状況変更手段
１５  スケジュール表示手段
１６  物件情報検索手段
１７  累計表示手段
３０  物件情報新規登録画面
４０  物件情報詳細登録画面
５０  進行状況情報変更画面
６０  スケジュール表示画面
８０  営業モード表示画面
９０  新規物件一覧表示画面
９１  物件情報一覧表示画面
１００  管理モード表示画面
【図１】
2008077609.tif 000003
【図２】
2008077609.tif 000004
【図３】
2008077609.tif 000005
【図４】
2008077609.tif 000006
【図５】
2008077609.tif 000007
【図６】
2008077609.tif 000008
【図７】
2008077609.tif 000009
【図８】
2008077609.tif 000010
【図９】
2008077609.tif 000011
【図１０】
2008077609.tif 000012
【図１１】
2008077609.tif 000013